(57)【要約】【課題】撮影用アクセサリーをカメラのレンズの先端に連結させたカメラの携帯時に、撮影用アクセサリーへの傷付きを防止する上で有利で、また、ほこりの付着を防止する上で有利な撮影用アクセサリーケースを提供すること。【解決手段】  クローズアップレンズ３０を撮影用アクセサリーケース３８から取り出す場合には、左手で第１ケース４０の外筒部４４を掴み、切り欠き４４０２から右手で第２ケース５０の外筒部５４を掴み、第２ケース５０を第１ケース４０から引き出し、次に、第２ケース５０を枠体３２から外す。アクセサリーケース３８の一部をなす第２ケース５０は、クローズアップレンズ３０のレンズカバー（レンズキャップ）として用いることができる。【選択図】図３
2007058004.tif 000002
【特許請求の範囲】
【請求項１】
枠体と枠体の内部に支持された光学部材とからなり前記枠体の基部がカメラの鏡筒の先端に取り付けられる撮影用アクセサリーを収容する撮影用アクセサリーケースであって、
前記撮影用アクセサリーケースは第１ケースと第２ケースとからなり、
前記第１ケースは、前記枠体の外径よりも大きい寸法の外径を有する底板部と、前記底板部の外周から立設されその内径が前記枠体の外径よりも大きい寸法の内径で形成された外筒部と、前記底板部又は前記外筒部に設けられ前記枠体の基部が係脱可能に結合される係脱部とを備え、
前記第２ケースは、前記枠体の外径よりも大きい寸法の外径を有する上板部と、前記上板部の外周から立設されその外径が前記第１ケースの外筒部の内側に挿入される寸法で形成されると共にその内径が前記基部と反対に位置する前記枠体の先部に係脱可能に結合される外筒部とを備える、
ことを特徴とする撮影用アクセサリーケース。
【請求項２】
前記第１ケースの前記外筒部の前記底板部からの突出高さは、前記係脱部に、前記枠体の基部が結合され、かつ、前記枠体の先部に前記第２ケースの外筒部が結合された状態で、前記第１ケースの前記外筒部の先端と、前記第２ケースの上板部とが前記撮影用アクセサリーの軸方向において互いに近傍の箇所に位置していることを特徴とする請求項１記載の撮影用アクセサリーケース。
【請求項３】
前記第１ケースの外筒部の周方向に間隔をおいた複数個所に前記外筒部の先端に向けて開放状に形成され前記外筒部の内側に収容された前記第２ケースの外筒部へ指を係止させ前記第２ケースの外筒部を取り出すための切り欠きが形成されていることを特徴とする請求項１記載の撮影用アクセサリーケース。
【請求項４】
前記枠体の基部にはカメラの鏡筒の先端の雌ねじに螺合可能な雄ねじが形成され、前記係脱部は、前記外筒部の内側で前記底板部から立設され前記雄ねじに係脱される内径を有する内筒部で形成されていることを特徴とする請求項１記載の撮影用アクセサリーケース。
【請求項５】
前記第１ケースの底板部は外筒部よりも大きい外径で形成され、前記底板部には前記外筒部の半径方向外方に環状に広がるフランジが形成されていることを特徴とする請求項１記載の撮影用アクセサリーケース。
【請求項６】
前記第２ケースの外筒部の内面に、周方向に間隔をおいて前記内面の半径方向内方に膨出する複数の膨出部が形成され、それら膨出部が、前記基部と反対に位置する前記枠体の先部の外周面に係脱可能に結合することを特徴とする請求項１記載の撮影用アクセサリーケース。
【請求項７】
前記第１ケースと前記第２ケースは共に前記枠体よりも軟質な材料で形成されていることを特徴とする請求項１記載の撮影用アクセサリーケース。
【発明の詳細な説明】
【技術分野】
【０００１】
本発明はクローズアップレンズやコンバージョンレンズ、あるいはフィルターなどのようなカメラに用いられる撮影用アクセサリーのケースに関する。
【背景技術】
【０００２】
クローズアップレンズやコンバージョンレンズ、あるいはフィルターなどのようなカメラに用いられる撮影用アクセサリーは、ケースに収容されて市販されている。
一方、市販の際に交換レンズが収容されるケースの一部を、交換レンズのリヤキャップとして兼用させたものが提案されているが、それらの撮影用アクセサリーがカメラのレンズの先端に連結されて用いられる場合、撮影用アクセサリーに付けるカバーがないのが現状である（例えば、特許文献１参照）。
【特許文献１】特開平１１−３５２５８０
【発明の開示】
【発明が解決しようとする課題】
【０００３】
そのため、撮影用アクセサリーをカメラのレンズの先端に連結させたカメラの携帯時に、撮影用アクセサリーに傷が付き易く、また、ほこりが付き易いという不具合があった。
本発明はこのような事情に鑑みなされたものであり、その目的は、撮影用アクセサリーをカメラのレンズの先端に連結させたカメラの携帯時に、撮影用アクセサリーへの傷付きを防止する上で有利で、また、ほこりの付着を防止する上で有利な撮影用アクセサリーケースを提供することにある。
【課題を解決するための手段】
【０００４】
上述の目的を達成するため、本発明は、枠体と枠体の内部に支持された光学部材とからなり前記枠体の基部がカメラの鏡筒の先端に取り付けられる撮影用アクセサリーを収容する撮影用アクセサリーケースであって、前記撮影用アクセサリーケースは第１ケースと第２ケースとからなり、前記第１ケースは、前記枠体の外径よりも大きい寸法の外径を有する底板部と、前記底板部の外周から立設されその内径が前記枠体の外径よりも大きい寸法の内径で形成された外筒部と、前記底板部又は前記外筒部に設けられ前記枠体の基部が係脱可能に結合される係脱部とを備え、前記第２ケースは、前記枠体の外径よりも大きい寸法の外径を有する上板部と、前記上板部の外周から立設されその外径が前記第１ケースの外筒部の内側に挿入される寸法で形成されると共にその内径が前記基部と反対に位置する前記枠体の先部に係脱可能に結合される外筒部とを備えることを特徴とする。
【発明の効果】
【０００５】
本発明では、撮影用アクセサリーの撮影用アクセサリーケースへの収容時、撮影用アクセサリーの枠体が第１ケースの外筒部の内側に収容され、枠体の基部が係脱部に結合され、第１ケースの外筒部の内側で枠体の先部に第２ケースの外筒部が結合され、したがって、枠体の基部側は第１ケースの底板部で覆われ、枠体の先部側は第２ケースの上板部で覆われた状態で収容される。
また、撮影用アクセサリーの使用時、枠体の基部がカメラの鏡筒の先端に取り付けられ、第２ケースが枠の先部に係脱されることでカバーとして用いられる。
すなわち、撮影用アクセサリーが例えばレンズである場合には、第２ケースは、撮影用アクセサリーケースとして機能し、また、レンズカバーとしても機能し、撮影用アクセサリーが例えばフィルターである場合には、第２ケースは、撮影用アクセサリーケースとして機能し、また、フィルターカバーとしても機能する。
【発明を実施するための最良の形態】
【０００６】
次に、撮影用アクセサリーがクローズアップレンズである場合の本発明の実施の形態について図面を参照して説明する。
図１（Ａ）はクローズアップレンズが鏡筒の先端に取着された状態のカメラの斜視図、（Ｂ）はクローズアップレンズに撮影用アクセサリーの第２ケースが取着された状態のカメラの斜視図、図２はクローズアップレンズの断面図である。
図１に示すように、カメラ１０はデジタルスチルカメラであり、カメラ本体１２の右側部にグリップ部１４が設けられ、カメラ本体１２の左側部にレンズが組み込まれた鏡筒１６が設けられ、鏡筒１６の後端に撮像素子が配設され、カメラ本体１２の左側部の上にストロボ装置１８が出没可能に設けられ、ストロボ装置１８の後方に、鉛直軸を中心に旋回可能にかつ前後に揺動可能に前記撮像素子で撮られた画像を表示する液晶ディスプレイ２０が配設され、グリップ部１４の上面にシャッターボタン２２が設けられ、また、外部ストロボを装着するためのホットシュー２４が設けられている。
【０００７】
クローズアップレンズ３０は鏡筒１６の先端に着脱可能に取り付けられている。
クローズアップレンズ３０は、図２に示すように、枠体３２と枠体３２の内部に支持された光学部材であるレンズ３４から構成されている。
枠体３２は金属であるいは硬質な合成樹脂で形成されている。
枠体３２の基部３２Ａには、鏡筒１６の先端の雌ねじに螺合可能な雄ねじ３２０２が形成されている。
【０００８】
図３（Ａ）はクローズアップレンズを収容した撮影用アクセサリーケースの平面図、（Ｂ）は同断面正面図、図４はクローズアップレンズを収容した撮影用アクセサリーケースの側面図、図５（Ａ）は第１ケースの斜視図、（Ｂ）は第１ケースの断面正面図、図６（Ａ）は第２ケースの斜視図、（Ｂ）は第２ケースの断面正面図、図７は撮影用アクセサリーケースからクローズアップレンズを取り出す場合の説明図を示す。
本実施の形態の撮影用アクセサリーケース３８はクローズアップレンズ３０を収容するものである。
撮影用アクセサリーケース３８は第１ケース４０と第２ケース５０とを備えている。
第１ケース４０と第２ケース５０は、クローズアップレンズ３０に傷が付きにくいように、共に枠体３２よりも軟質な（柔軟性を有する）合成樹脂で形成され、このような合成樹脂として、例えば、ポリプロピレンやポリスチレン、ＡＢＳ樹脂などが使用可能である。
【０００９】
第１ケース４０は、図５に示すように、底板部４２と、外筒部４４と、係脱部４６とを備えている。
底板部４２は、枠体３２の外径よりも大きい寸法の外径で円形に形成されている。
外筒部４４は、底板部４２の外周から立設されその内径が枠体３２の外径よりも大きい寸法の内径で形成されている。
本実施の形態では、第１ケース４０の底板部４２は外筒部４４よりも大きい外径で形成され、底板部４２には外筒部４４の半径方向外方に環状に広がるフランジ４２Ａが形成されている。
また、外筒部４４の周方向に１８０度の間隔をおいた２個所に、外筒部４４の先端に向けて開放状に形成され外筒部４４の内側に収容された第２ケース５０の外筒部５４へ指を係止させ第２ケース５０を取り出すための切り欠き４４０２が形成されている。
係脱部４６は、底板部４２又は外筒部４４に設けられ枠体３２の基部３２Ａが係脱可能に結合されるように形成されている。
本実施の形態では、枠体３２の基部３２Ａに雄ねじ３２０２が形成され、係脱部４６は、外筒部４４の内側で外筒部４４と同軸上に底板部４２から立設され雄ねじ３２０２が係脱される寸法の内径を有する内筒部で形成され、内筒部の内周面で雄ねじ３２０２が弾性的に支持されるように構成されている。
【００１０】
第２ケース５０は、図６に示すように、上板部５２と、外筒部５４とを備えている。
上板部５２は、枠体３２の外径よりも大きい寸法でかつ第１ケース４０の外筒部４４の内側に挿入されるように外筒部４４の内径よりも小さい寸法の外径で円形に形成されている。
外筒部５４は、上板部５２の外周から立設されその外径が第１ケース４０の外筒部４４の内側に挿入される寸法で形成されると共にその内径が基部３２Ａと反対に位置する枠体３２の先部３２Ｂに係脱可能に結合される寸法で形成されている。
本実施の形態では、第２ケース５０の外筒部５４の内面に、周方向に間隔をおいて外筒部５４の内面の半径方向内方に膨出する複数の膨出部５４０２が形成され、第２ケース５０を枠体３２の先端３２Ｂに被せた際に、それら膨出部５４０２が、枠体３２の先部３２Ｂの外周面に係脱可能に結合されるように構成されている。より詳細には、複数の膨出部５４０２の内面を接続する仮想の円筒面が先部３２Ｂの外周面により半径方向に拡げられ、半径方向内方に戻ろうとする弾性力により外筒部５４が枠体３２の先部３２Ｂに支持されるように構成されている。
また、上板部５２の内面の外周部にも、膨出部５４０２に連続する膨出部５２０２が設けられ、第２ケース５０を枠体３２の先端３２Ｂに被せた際に、枠体３２の先部３２Ｂの先端が膨出部５２０２に当接されるように構成されている。
そして、図３（Ｂ）、図４に示すように、第１ケース４０の外筒部４４の底板部４２からの突出高さは、係脱部４６に枠体３２の基部が結合されて第１ケース４０の内部にクローズアップレンズ３０が挿入され、かつ、枠体３２の先部３２Ｂに第２ケース５０が被せられ外筒部５４が先部３２Ｂに結合された状態で、すなわち、クローズアップレンズ３０が撮影用アクセサリーケース３８に収容された状態で、第１ケース４０の外筒部４４の先端と、第２ケース５０の上板部５２とがクローズアップレンズ３０の軸方向（光軸方向）において互いに近づいた近傍の箇所に位置するように構成されている。
【００１１】
本実施の形態では、クローズアップレンズ３０の撮影用アクセサリーケース３８への収容は、枠体３２が第１ケース４０の外筒部４４の内側に収容され、枠体３２の基部３２Ａが筒状の係脱部４６の内周面に結合され（本実施の形態では弾性的に支持され）、第１ケース４０の内側に収容される。
さらに、第１ケース４０の外筒部４４の内側で枠体３２の先部３２Ｂに第２ケース５０の外筒部５４が結合され、枠体３２の先部３２Ｂが第２ケース５０で覆われる。
したがって、クローズアップレンズ３０は、その枠体３２の基部３２Ａが第１ケース４０の底板部４２で覆われ、枠体３２の胴部が第１ケース４０の外筒部４４と第２ケース５０の外筒部５４とで覆われ、枠体３２の先部３２Ｂが第２ケース５０の上板部５２で覆われた状態で収容される。
【００１２】
クローズアップレンズ３０を撮影用アクセサリーケース３８から取り出す場合には、図７に示すように、例えば、左手で第１ケース４０の外筒部４４のフランジ４２Ａを掴み、切り欠き４４０２から右手で第２ケース５０の外筒部５４を掴み、第２ケース５０を第１ケース４０から引き出すと、枠体３２の基部３２Ａが筒状の係脱部４６の内周面から外れ、第２ケース５０と共にクローズアップレンズ３０が第１ケース４０から取り出される。
そして、クローズアップレンズ３０を鏡筒１６の先端に取り付ける場合には、クローズアップレンズ３０の枠体３２の基部３２Ａ側を一方の手で掴み、他方の手で第２ケース５０の外筒部５４を掴んで第２ケース５０を枠体３２から外した後、クローズアップレンズ３０の枠体３２の基部３２Ａを鏡筒１６の先端に結合する。
あるいは、第２ケース５０がクローズアップレンズ３０に取り付けられたままの状態で、枠体３２の基部３２Ａを鏡筒１６の先端に結合し、クローズアップレンズ３０を鏡筒１６に装着した後、第２ケース５０を一方の手で掴み、他方の手でカメラ１０の本体１２を掴んで第２ケース５０を枠体３２から引き出し、クローズアップレンズ３０から取り外す。
【００１３】
クローズアップレンズ３０を鏡筒１６の先端に取り付けたカメラ１０の携帯時には、枠体３２の先部３２Ｂに第２ケース５０の外筒部５４を結合して先部３２Ｂを第２ケース５０で覆い、第２ケース５０を先部３２Ｂに対して脱着することで第２ケース５０をクローズアップレンズ３０のレンズカバー（レンズキャップ）として用いる。
【００１４】
したがって、本実施の形態によれば、撮影用アクセサリーケース３８は、従来と同様に、クローズアップレンズ３０の販売時（流通時）や非使用時に、レンズケースとして用いることは無論のこと、クローズアップレンズ３０を装着したカメラ１０の携帯時に、撮影用アクセサリーケース３８の一部をなす第２ケース５０を、クローズアップレンズ３０のレンズカバー（レンズキャップ）として用いることができるので、カメラ１０の携帯時に、クローズアップレンズ３０への傷付きを防止する上で有利となり、また、ほこりの付着を防止する上で有利となる。
また、本実施の形態では、第１ケース４０の底板部４２にフランジ４２Ａを形成したので、フランジ４２Ａに指を掛けることで第１ケース４０を確実に掴むことができ、クローズアップレンズ３０の取り出しを簡単に行う上で有利となる。
また、クローズアップレンズ３０が撮影用アクセサリーケース３８に収容された状態で、第１ケース４０の外筒部４４の先端と、第２ケース５０の上板部５２とがクローズアップレンズ３０の軸方向（光軸方向）において互いに近づいた近傍の箇所に位置するようにしたので、クローズアップレンズ３０の収容時における撮影用アクセサリーケース３８のクローズアップレンズ３０の光軸方向に沿った寸法を短縮化する上で有利となる。
また、第２ケース５０の外筒部５４の内面が枠体３２の先部３２Ｂの外周面に係脱可能に結合される保持力、本実施の形態では、複数の膨出部５４０２が枠体３２の先部３２Ｂの外周面に係脱可能に結合される保持力を適宜強く設定することで、第２ケース５０が被せられたクローズアップレンズ３０を鏡筒１６に装着した後、第２ケース５０を一方の手で掴み、他方の手でカメラ１０の本体１２を掴んだ場合のみ、すなわち枠体３２よりも大きな本体１２を掴むことでより大きな力で引き離す場合にのみ、第２ケース５０を枠体３２から取り外せるようにしてもよく、このように構成すると、クローズアップレンズ３０への傷付きを防止する上でより一層有利となり、また、ほこりの付着を防止する上でより一層有利となる。
【００１５】
なお、クローズアップレンズ３０が撮影用アクセサリーケース３８に収容された状態で、第１ケース４０の外筒部４４の先端から第２ケース５０の上板部５２を突出させる寸法で形成し、第２ケース５０の第１ケース４０からの取り外し時、第２ケース５０の上板部５２を掴むようにしてもよく、この場合には、切り欠き４４０２は不要となるが、実施の形態のように構成すると、クローズアップレンズ３０の収容時における撮影用アクセサリーケース３８のクローズアップレンズ３０の光軸方向に沿った寸法を短縮化する上で有利となる。
また、実施の形態では、係脱部４６を、第１ケース４０の底板部４２に設けた場合について説明したが、係脱部４６は、外筒部４４に設けるようにしてもよく、係脱部４６の構造として、従来公知の様々な構造が採用可能である。
また、実施の形態では、第２ケース５０の外筒部５４の内面に複数の膨出部５４０２を形成し、それら膨出部５４０２を、枠体３２の先部３２Ｂの外周面に係脱可能に結合させた場合について説明したが、膨出部５４０２を省略し外筒部５４の内面を枠体３２の先部３２Ｂの外周面に直接係脱させるようにしてもよい。
また、実施の形態では、撮影用アクセサリーがクローズアップレンズの場合について説明したが、撮影用アクセサリーは、コンバージョンレンズやフィルターなど他の様々なものに適用可能である。
【図面の簡単な説明】
【００１６】
【図１】（Ａ）はクローズアップレンズが鏡筒の先端に取着された状態のカメラの斜視図、（Ｂ）はクローズアップレンズに撮影用アクセサリーの第２ケースが取着された状態のカメラの斜視図である。
【図２】クローズアップレンズの断面図である。
【図３】（Ａ）はクローズアップレンズを収容した撮影用アクセサリーケースの平面図、（Ｂ）は同断面正面図である。
【図４】クローズアップレンズを収容した撮影用アクセサリーケースの側面図である。
【図５】（Ａ）は第１ケースの斜視図、（Ｂ）は第１ケースの断面正面図である。
【図６】（Ａ）は第２ケースの斜視図、（Ｂ）は第２ケースの断面正面図である。
【図７】撮影用アクセサリーケースからクローズアップレンズを取り出す場合の説明図である。
【符号の説明】
【００１７】
３０……クローズアップレンズ、３２……枠体、３８……撮影用アクセサリーケース、４０……第１ケース、４２……底板部、４４……外筒部、４６……係脱部、５０……第２ケース、５２……上板部、５４……外筒部。
【図１】
2007058004.tif 000003
【図２】
2007058004.tif 000004
【図３】
2007058004.tif 000005
【図４】
2007058004.tif 000006
【図５】
2007058004.tif 000007
【図６】
2007058004.tif 000008
【図７】
2007058004.tif 000009